(57)【要約】【課題】磁気シールド室に設置された機器の磁気センサが収集する磁気データへのノイズの混入を防止できる照明器具を提供することにある。【解決手段】磁気センサを備える機器（ＭＲＩ装置本体７）が設置された磁気シールド室（ＭＲＩ撮影室６）の照明をする照明器具１８、１９を前提とする。照明器具１８、１９は、ＭＲＩ撮影室６内に光を反射させる反射体とともに器具外郭に内蔵された光源を備え、光源に、ハロゲンランプや白熱ランプ等のように安定器を要することなく点灯されるものを用いる。これにより、照明器具１８、１９が、磁気センサにとってノイズを与える原因とならないようにしたことを特徴としている。【選択図】    図１
2004253302.tif 000002
【特許請求の範囲】
【請求項１】
磁気センサを備える機器が設置された磁気シールド室の照明をする照明器具において、
安定器を用いることなく点灯される光源と、
この光源から放射された光を前記磁気シールド室内に反射させる反射体と、
この反射体及び前記光源を内蔵する器具外郭と、
を具備したことを特徴とする照明器具。
【請求項２】
磁気センサを備える機器が設置された磁気シールド室の照明をする照明器具において、
蓄電池と、
この蓄電池の電力が供給された時に点灯される光源と、
前記蓄電池に対する充電とこの蓄電池の電力を前記光源に供給させる放電とを切換える半導体スイッチを有して前記光源を非常時に点灯させる点灯装置と、
前記光源から放射された光の一部を前記磁気シールド室内に反射させる反射体と、
この反射体、前記蓄電池、前記光源、及び前記点灯装置を内蔵する器具外郭と、
を具備したことを特徴とする照明器具。
【請求項３】
前記反射体及び器具外郭がいずれも非磁性体製であることを特徴とする請求項１又は２に記載の照明器具。
【発明の詳細な説明】
【０００１】
【発明の属する技術分野】本発明は、磁気センサを備える機器例えばＭＲＩ装置（磁気共鳴イメージング装置）の本体が設置された磁気シールド室の照明をする照明器具に関する。
【０００２】
【従来の技術】ＭＲＩ装置の本体が設置された磁気シールド室（ＭＲ室又はＭＲ撮影室とも言う。）は、そのシールド機能により、磁気シールド室外の環境電界の影響を受けることを抑制しているとともに、前記本体を発生源とする磁気シールド室外への漏洩磁場が少なくなるようにしている。
【０００３】
この磁気シールド室の照明設備として、この室に取付けられた複数の常用照明器具と、停電等に伴う常用照明器具の不用意な消灯に代わって点灯される非常用照明器具とが天井などに設置されている。
【０００４】
ところで、ＭＲＩ装置の本体は、この本体の磁石ボア内に入った患者からＭＲデータ（磁気データ）を収集する磁気センサを有している。ＭＲデータの収集の際に外部からノイズが重畳すると、収集されたＭＲデータの信頼性が損なわれる。一般に、ＭＲＩ装置では、中心周波数５００ＫＨｚの範囲に特定周波数のノイズが重畳すると、磁気共鳴画像に線状或いは点状の誤画像成分が入り込むことがある。
【０００５】
安定器例えばインバータ点灯回路を備える電子安定器により高周波点灯される蛍光灯等の放電灯を光源とする照明器具は、点灯中において周囲に高周波が漏れるので、それがＭＲデータへのノイズの混入の原因となる可能性が高い。このため、蛍光灯を光源とした照明器具は磁気シールド室を照明する照明器具としては不適当である。
【０００６】
又、従来、停電時に磁気シールド室を照明する非常用照明器具としても使用可能な汎用形の非常用照明器具が知られている。この非常用照明器具は、電池内蔵形のものであって、シャーシに、下面中央が開口されたカバー、前記開口に正対する投光開口を有した帽状の反射体、及び非常用のバッテリー（蓄電池）等を取付けるとともに、反射体の頂部に近接してソケットを配置し、このソケットに反射体内に位置するランプを装着し、前記カバー、シャーシ、反射体及びバッテリーとの間に形成された空間に点灯ユニットを配設している。そして、点灯ユニットは、バッテリーの充電装置、非常時にバッテリーに切換えてランプを点灯させる切換装置、およびその他の電気部品で構成されている。前記各部品を形成する材料等についての記載はないが、ソケットは磁器製、反射体はアルミニューム製、シャーシ及びカバーはいずれも鋼鈑製であり、ランプにはハロゲンランプが用いられている。（例えば特許文献１参照。）。
【０００７】
【特許文献１】
特開平８−２１２８１５号公報（段落００１５−００１８、図１）
【０００８】
【発明が解決しようとする課題】既述のように電子安定器により点灯される放電灯を光源とする照明器具は、ＭＲＩ装置本体の磁気センサが収集するＭＲデータへのノイズの混入の原因となる可能性が高く、磁気シールド室を照明する照明器具としては不適当であるので、ＭＲデータへのノイズの混入を抑制できる新たな照明器具が求められている。
【０００９】
又、特許文献１の非常用照明器具においても、その点灯ユニットの切換装置でバッテリーの充電と放電とを切換える際などに、リレー等を用いると、切換時にＭＲデータに混入し得るノイズを発生する可能性がある。このため、ＭＲデータへのノイズの混入を抑制可能な新たな非常用照明器具が求められている。
【００１０】
更に、常用照明器具でも非常用照明器具でも、器具外郭をなすシャーシとカバーとが鋼鈑製であるため、ＭＲＩ装置の本体動作時に、この本体が発生する強力な磁場によって、器具外郭はＭＲＩ装置本体に向けて吸引力を受ける。この磁気吸引力によって、磁気シールド室を区画した壁に取付けられた照明器具の取付け状態が不安定になるおそれが考えられるので、こうしたことを改善することも求められている。
【００１１】
本発明が解決しようとする課題は、磁気シールド室に設置された機器の磁気センサが収集する磁気データへのノイズの混入を防止できる照明器具を提供することにある。
【００１２】
【課題を解決するための手段】本発明は、磁気センサを備える機器が設置された磁気シールド室の照明をする照明器具を前提とする。そして、前記課題を解決するために、請求項１の発明は、安定器を用いることなく点灯される光源と、この光源から放射された光を前記磁気シールド室内に反射させる反射体と、この反射体及び前記光源を内蔵する器具外郭と、を具備したことを特徴としている。
【００１３】
本発明及び以下の発明で、磁気センサを備える機器としてはＭＲＩ装置の本体を代表的に挙げることができるが、これに限らず、磁気センサを備えて、検査や治療或いは加工等のために磁気を取扱う機器であればいかなる機器であってもよい。本発明及び以下の発明で、安定器を用いることなく点灯される光源としては、白熱ランプ、ハロゲンランプ、ＥＬランプ、ＬＥＤ等を挙げることができる。又、本発明は、磁気シールド室を照明する常用照明器具及び非常用照明器具のいずれにも適用できる。
【００１４】
請求項１の発明では、光源に安定器を用いることなく点灯されるものを採用したので、光源を点灯させても、磁気センサにとってノイズ成分となる高周波等を発生しない。
【００１５】
又、前記課題を解決するために、請求項２の発明は、蓄電池と、この蓄電池の電力が供給された時に点灯される光源と、前記蓄電池に対する充電とこの蓄電池の電力を前記光源に供給させる放電とを切換える半導体スイッチを有して前記光源を非常時に点灯させる点灯装置と、前記光源から放射された光の一部を前記磁気シールド室内に反射させる反射体と、この反射体、前記蓄電池、前記光源、及び前記点灯装置を内蔵する器具外郭と、を具備したことを特徴としている。
【００１６】
非常時に蓄電池の電力が光源に供給されて点灯される請求項２の発明では、点灯装置が備える半導体スイッチで蓄電池の充電と放電とを切換えるので、蓄電池の充放電に伴って磁気センサに対するノイズ成分の発生を抑制できる。
【００１７】
請求項３の発明は、前記反射体及び器具外郭がいずれも非磁性体製であることを特徴としている。この発明において非磁性体にはアルミニューム及びその合金を好適に使用でき、或いは真鍮等のような非磁性体製金属とするとよく、又、金属以外の非磁性体製とすることもできる。
【００１８】
この請求項３の発明では、磁気センサを備える機器が例えばＭＲＩ装置の本体のように磁場を発生する場合に、この機器に磁気吸引され難くすることができる。
【００１９】
【発明の実施の形態】以下、図１〜図７を参照して本発明の一実施形態を説明する。
【００２０】
図１中符号１は建物の壁を示し、この壁１は、建物内に、ＭＲＩ収容室２と、機械室３と、操作室４等を区画している。ＭＲＩ収容室２内に設けられたシールド壁５で囲まれた領域は、磁気シールド室として機能するＭＲＩ撮影室６をなしている。シールド壁５は、電波及び磁気をシールドするためのシールド部材例えば金属メッシュ５ｂ（図４参照）等を有している。
【００２１】
なお、図１（Ａ）（Ｂ）中符号１３は機械室３と操作室４との通路を開閉する扉、符号１４は操作室４とＭＲＩ撮影室６との通路を開閉する扉、符号１５は操作室４に対する出入り口に設けた開閉扉、符号１６はＭＲＩ撮影室６に対する出入り口に設けた開閉扉を夫々示している。又、符号１７はＭＲＩ撮影室６内を操作室４から監視するための観察窓を示している。各扉１４〜１６、及び観察窓１７はいずれも電波及び磁気をシールドできるようになっている。
【００２２】
ＭＲＩ撮影室６には、ＭＲＩ装置の本体７が設置されている。ＭＲＩ装置本体７は、ＭＲ検査などを行うために周知のように磁石架台７ａ及び寝台７ｂを備えているとともに、ＭＲデータ（磁気データ）を得る図示しない磁気センサを備えている。機械室３には、ＭＲＩ装置本体７を動作させるために必要な制御キャビネット８、磁場電源９、及び冷凍機１０などが設置されている。操作室４には、モニタ付きのコンソール１１、及びレーザイメージャ１２等が設置されている。各室３、４、６に設置された前記各種の機器によってＭＲＩ装置が構成されている。
【００２３】
シールド壁５の上壁５ａはＭＲＩ撮影室６の天井壁をなしており、この壁５ａには例えば１個の非常用照明器具１８と複数の常用照明器具１９とがいずれも直付けされている。非常用照明器具１８は通常時消灯しており、停電時などにより常用照明器具１９が不用意に消灯した場合に、点灯されるものである。ＭＲＩ撮影室６の照明設備をなす各照明器具１８、１９は、いずれもＭＲＩ装置本体７から１．５ｍ以上離して配置することが、照明器具１８、１９とＭＲＩ装置本体７との相互の磁気的影響を軽減する上で好ましい。
【００２４】
図２〜図５を参照して非常用照明器具１８を説明する。この器具１８は、シャーシ２１、反射板２２、カバー２３、光源２４、ソケット２５、点灯装置２６、蓄電池２７、端子台２８、点検スイッチ２９（図５参照）、及び充電モニタ３０（図５参照）等を備えている。
【００２５】
シャーシ２１は、カバー２３とともに器具外郭をなすものであり、非磁性体製、例えばアルミニュームで作られている。図２（Ａ）に示すようにシャーシ２１は、例えば円形であり、上壁５ａへの接触を安定させるための３つの凸部２１ａ〜２１ｃと、一つの凸部２１ａに形成された取付け孔２１ｄと、他の凸部２１ｂ、２１ｃ間に形成された二つの取付け孔２１ｅ、２１ｆとを有している。
【００２６】
シャーシ２１は、取付け孔２１ｄを挿通する木ねじと、取付け孔２１ｅ又は２１ｆのいずれかを挿通する木ねじとを用いて上壁５ａの下面に直に固定されている。このように非常用照明器具１８をシールド壁５に直付けすることは、非常用照明器具１８を壁に埋め込んで取付ける場合のようにシールド壁５に器具埋め込み用の貫通孔を設ける必要がないことに伴い、シールド壁５のシールド機能が損なわれない点で好ましい。
【００２７】
この直付けにおいて使用する木ねじを図４中に符号３１で代表して示す。各木ねじ３１には低コストな汎用の磁性体製のものを好適に使用できる。図４で代表して示すように上壁５ａを挿通した全ての木ねじ３１の挿通端部にはストッパ３２が取付けられている。ストッパ３２は、例えば前記挿通端部より小径の中心孔の周りに放射状の切り込みが設けられた金属板等であって、前記挿通端部に上方から押し込むことによって、この挿通端部に引っ掛かって設けられる。これにより、木ねじ３１が磁性体製であっても、動作中のＭＲＩ装置本体７の磁気吸引力で、木ねじ３１がはずされることを防止できる。なお、磁気吸引力による木ねじ３１の外れ止めのために、このねじ３１をアルミニューム合金等の非磁性体製とすることも可能である。
【００２８】
点灯装置２６は、ユニットとなっていて、シャーシ２１にねじ止めされている。この点灯装置２６には、ソケット２５が取付けられているとともに、このソケット２５を中央部に配置して反射体として機能する略半球状の反射板２２が取付けられている。反射板２２は、非磁性体製、例えばアルミニュームで作られている。ソケット２５は磁器製であり、このソケット２５には光源２４が取付けられている。
【００２９】
光源２４にはハロゲンランプのように電子安定器を用いることなく点灯されるものが採用されている。光源２４から放射された光の内で反射板２２に入射された光は、下方に反射されてＭＲＩ撮影室６を、直射光とともに照明する。光源２４を点灯させる時の非常用電源として機能する蓄電池２７は、図３に示すように略Ｕ字状をなしている。この蓄電池２７は点灯装置２６の略半周を取り囲むように配置される。図２（Ａ）に示すように端子台２８は、シャーシ２１の裏面に露出してこのシャーシ２１の略中央部にねじ止めされている。
【００３０】
図５に示すように端子台２８は、外部の電源に電気的に接続されるとともに点灯装置２６に電気的に接続されている。点灯装置２６には、充電モニタ３０が電気的に接続されているとともに、ソケット２５を介して光源２４が電気的に接続されている。更に、点灯装置２６にはコネクタ３３を介して蓄電池２７が電気的に接続されている。なお、図５中符号３４は電流ヒューズを示している。
【００３１】
点灯装置２６は、外部電源の電力を蓄電池２７に充電させる充電回路、及び蓄電池２７に対する充電と放電と切換える半導体スイッチ２６ａ（図５等参照）を有して、外部電源からの供給電力が停止したことを検出しこの検出に伴って蓄電池２７の電力で光源２４を点灯させる点灯回路を備えている。又、端子台２８と点灯装置２６との間には、図２（Ｂ）中符号２９ａで示した引き紐の操作で開閉される点検スイッチ２９が設けられている。点灯装置２６は、点検スイッチ２９を閉じた時に蓄電池２７の電力で充電モニタ３０を点灯させる点検回路も有している。充電モニタ３０は点検時以外は消灯している。この充電モニタ３０の点灯状態はカバー２３の充電点検孔を通して視認可能である。
【００３２】
更に、点灯装置２６の具体的構成を図７により詳しく説明する。図７中符号５１は商用交流電源など外部電源５２に接続された直流電源部を示している。この電源部５２は、降圧トランス５３、整流器５４、平滑コンデンサ５５等を備えているとともに、整流器５４の入力側にスイッチ５６及びサージ電圧吸収素子５７を有している。この直流電源部５１により外部電源５２の交流が直流に変換される。
【００３３】
直流電源部５１の出力端５１ａ、５１ｂ間には抵抗５８及び充電用ダイオード５９を介して蓄電池２７に充電をする充電回路６０が接続されているとともに、光源２４とこれに直列接続された半導体スイッチ２６ａとの直列回路が接続されている。直流電源部５１の出力端５１ａ、５１ｂ間には電圧検出部６１が接続され、この検出部６１にはランプ制御部６１が接続されている。これら電圧検出部６０とランプ制御部６２とを備えて点灯回路６３が形成されている。
【００３４】
電圧検出部６１は、抵抗６４、ツェナーダイオード６５、抵抗６６の直列回路、及び抵抗６６に並列接続されたコンデンサ６７とを備えて形成されている。ランプ制御部６２は、抵抗６６の両端間電圧がベースに供給されるトランジスタ６８、このトランジスタ６８のエミッタ・コレクタ間に接続されたＴＥＴトランジスタ等の半導体スイッチ２６ａ、及びコンデンサ６９等を備えて形成されている。なお、図７中符号７０はコンデンサ６９に直列接続された抵抗を示している。
【００３５】
電圧検出部６１は直流電源部５１の直流出力の電圧を検出する。非停電時には高い検出電圧が検出され、この電圧が供給されるトランジスタ６８はオン状態にある。このため、半導体スイッチ２６ａがオフ状態に保持されて、光源２４は消灯している。この一方で、充電回路６０を介して蓄電池２７に対する充電が行われる。又、停電時には、直流電源部５１の直流出力電圧が零になるので、トランジスタ６８がオフ状態、半導体スイッチ２６ａがオン状態となる。これにより、コンデンサ６９に蓄えられた電荷の放電をトリガーとして光源２４が点灯され、この時点以降は蓄電池２７の電力が光源２４に印加されて光源２４の点灯が継続される。
【００３６】
なお、図７中符号７１は、所望時に充電モニタ３０を点灯させる点検回路を示しており、トランジスタ７２、抵抗７３〜７５、及びＬＥＤ等からなる充電モニタ３０等を備えて形成されている。
【００３７】
前記カバー２３は、非磁性体製、例えばアルミニュームで作られている。このカバー２３は、反射板２２の下端開口に対向する光投射口２３ａを底壁中央部に有しており、シャーシ２１、点灯装置２６、及び蓄電池２７等を覆って、シャーシ２１に取付けられた一対のＶばね３４を用いてシャーシ２１に取外し可能に支持されている。カバー２３の底壁には、充電点検孔（図示しない）が開けられているとともに、引き紐２９ａが挿通されている。
【００３８】
前記構成の蓄電池内蔵形の非常用照明器具１８は、停電等の非常時以外の通常時には、蓄電池２７の電池電圧が自然放電などにより所定電圧以下になった場合に、点灯装置２６の点灯回路が蓄電池２７に対する充電を随時実行する。この充電の開始及び終了の切換えは点灯装置２６が備える半導体スイッチ２６ａのスイッチング動作で行われるので、その切換に伴ってスイッチングノイズが発生することを抑制できる。更に、非常時に常用照明器具１９が消灯すると同時に、非常用照明器具１８は、その点灯装置２６の点灯回路を介して蓄電池２７の電力を光源２４に印加して、この光源２４を点灯させ、ＭＲＩ撮影室６内を照明する。こうした光源２４の消灯状態から点灯状態への移行も、点灯装置２６の半導体スイッチ２６ａのスイッチング動作で行われるので、その際にもスイッチングノイズが発生することを抑制できる。
【００３９】
このように非常用照明器具１８は、その非点灯時における蓄電池２７の充放電の切換に拘らずスイッチングノイズが発生しにくい。これにより、ＭＲＩ装置本体７の動作中にその磁気センサが収集するＭＲデータに、非常用照明器具１８を原因とするノイズが混入することを抑制できる。更にまた、微弱のノイズが発生したとしても、シャーシ２１及びカバー２３が夫々非磁性体で作られているので、鋼板からなるシャーシ及びカバーを備えた照明器具よりもノイズが器具外に漏れることが抑制される。したがって、ＭＲＩ画像にノイズの誤画像が入り込むことをなくすことができ、ＭＲＩ画像の信頼性を高めることができる。
【００４０】
ＭＲＩ装置本体７はその動作中強力な磁場を発生する。この磁場内には非常用照明器具１８が配置されている。しかし、この器具１８は、反射板２２だけではなく、器具外郭をなすシャーシ２１及びカバー２３も非磁性体製であるので、前記発生磁場によりＭＲＩ装置本体７に向けて強力な磁気吸引力を受けにくくすることができる。これにより、非常用照明器具１８のシールド室５の上壁５ａへの直付け状態が不安定になることを防止でき、長期間にわたり上壁５ａに対する所定の設置状態を維持することが可能である。
【００４１】
次に、ＭＲＩ撮影室６を照明する直付け形の常用照明器具１９を説明する。図６（Ａ）（Ｂ）に示すように照明器具１９は、器具外郭４１、反射体としての反射板４２、ソケット４３、光源４４、及び端子台４５等を備えている。
【００４２】
器具外郭４１は、例えば円筒状のカバー４１ａと、このカバー４１ａにその上端開口を閉じて連結されたシャーシ４１ｂとから形成されている。カバー４１ａ及びシャーシ４１ｂは、いずれも非磁性体製、例えばアルミニュームで作られている。
【００４３】
図６（Ａ）に示すようにシャーシ４１ｂには、取付け孔４６ａ、４６ｂ、４６ｃ、及び電源線引き込み孔４６ｄが設けられている。シールド壁５のシールド機能を損なわないように器具外郭４１は、取付け孔４６ａを挿通する図示しない木ねじと、取付け孔４６ｂ、４６ｃの内のいずれか一方を挿通する図示しない木ねじとを用いて前記上壁５ａの下面に直に固定されている。これらの図示しない磁性体製の木ねじにも、図４に示したものと同様に上壁５ａを貫通した木ねじ挿通端部に引っ掛かるストッパが取付けられている。これにより、動作中のＭＲＩ装置本体７の磁気吸引力で木ねじがはずされることを防止できる。なお、これらの木ねじはアルミニューム合金等の非磁性体製とすることも可能である。
【００４４】
図６（Ｂ）に示すように反射板４２は、略中空円錐台状で下端を開口（これは光投射口として機能する。）して形成されているとともに、器具外郭４１と同様に非磁性体製、例えばアルミニュームで作られている。この反射板４２は、シャーシ４１ａ及び反射板４２の奥壁４２ａを下向きに貫通した連結ねじ４７に、反射板４２の内側から袋ナット４８を螺合して締付けることにより、器具外郭４１に内蔵されている。このように器具外郭４１に取付けられた反射板４２の下端開口縁はカバー４１ｂの下端開口縁に引っ掛かっている。
【００４５】
シャーシ４１ａには、反射板４２を避けて端子台４５が取付けられているととに、ソケット取付け板４９が固定されている。ソケット取付け板４９及びこれをシャーシ４１ａに固定するリベット等の固定部品も、非磁性体製例えばアルミニューム製とすることが好ましい。ソケット取付け板４９には磁器製のソケット４３が取付けられている。ソケット４３の先端部は反射板４２に開けた図示しない孔を通って反射板４２内に挿入されている。このソケット４３には光源４４が取付けられている。光源４４には白熱ランプのように電子安定器を用いることなく点灯されるものが採用されている。
【００４６】
前記構成の常用照明器具１９には、その端子台４５を介して白熱ランプ製の光源２４に商用交流電源が印加され、これにより光源２４が点灯されてＭＲＩ撮影室６内を照明する。この点灯では、インバータ点灯回路を備える電子安定器を要することなく点灯されるので、常用照明器具１９は高周波ノイズをＭＲＩ撮影室６に発することがない。これにより、ＭＲＩ装置本体７の動作中にその磁気センサが収集するＭＲデータに、常用照明器具１９を原因とするノイズが混入することがない。したがって、ＭＲＩ画像にノイズの誤画像が入り込むことをなくすことができ、ＭＲＩ画像の信頼性を高めることができる。
【００４７】
又、既述のようにＭＲＩ装置本体７はその動作中強力な磁場を発生する。この磁場内には常用照明器具１９が複数配置されている。しかし、これらの器具１９は、反射板４２だけではなく、器具外郭４１をなすカバー４１ａ及びシャーシ４１ｂも非磁性体製であるので、前記発生磁場によりＭＲＩ装置本体７に向けて強力な磁気吸引力を受けにくくすることができる。これにより、各常用照明器具１９のシールド室５の上壁５ａへの直付け状態が不安定になることを防止でき、長期間にわたり上壁５ａに対する所定の設置状態を維持することが可能である。
【００４８】
既述のようにＭＲＩ撮影室６の照明設備をなす常用照明器具１９及び蓄電池内蔵形の非常用照明器具１８を、前記構成としたことにより、磁気センサを備える機器であるＭＲＩ装置で測定したＭＲＩ画像に、各照明器具１８、１９を原因とするノイズの誤画像が入り込むことがなくなるとともに、磁気センサを備える機器であるＭＲＩ装置の発生磁場による影響を、各照明器具１８、１９が受け難くできる。
【００４９】
【発明の効果】請求項１の発明によれば、光源の点灯中は、磁気シールド室に設置された機器が備える磁気センサにとってノイズ成分となる高周波等を発生しないので、前記磁気センサが収集する磁気データへのノイズの混入を防止できる照明器具を提供できる。
【００５０】
請求項２の発明によれば、非常時に光源に電力を供給する蓄電池の充放電に伴って、磁気シールド室に設置された機器が備える磁気センサにとってのノイズ成分が発生しないので、前記磁気センサが収集する磁気データへのノイズの混入を防止できる非常用の照明器具を提供できる。
【００５１】
請求項３の発明によれば、磁気センサを備える機器が磁場を発生する場合に、この機器に対して磁気吸引され難い照明器具を提供できる。
【図面の簡単な説明】
【図１】（Ａ）は本発明の一実施形態に係る照明器具を備えたＭＲＩ設備の配置例を示す図。（Ｂ）は図１（Ａ）中Ｆ１−Ｆ１線に沿って示す断面図。
【図２】（Ａ）本発明の一実施形態に係る非常用照明器具を示す裏面図。（Ｂ）は図２（Ａ）中Ｆ２−Ｆ２線に沿って示す断面図。
【図３】図２の非常用照明器具の一部を分解して示す正面図。
【図４】シールド壁に対する図２の非常用照明器具のねじ止め部を示す断面図。
【図５】図２の非常用照明器具の電気回路を概略的に示す結線図。
【図６】（Ａ）本発明の一実施形態に係る常用照明器具を示す裏面図。（Ｂ）は図６（Ａ）中矢印Ｆ６方向からみて一部を切り欠いて示す側面図。
【図７】図２の非常用照明器具の電気回路を詳細に示す結線図。
【符号の説明】
５…シールド壁、６…ＭＲＩ撮影室（磁気シールド室）、７…ＭＲＩ装置本体（機器）、１８…非常用照明器具、１９…常用照明器具、２１…シャーシ（器具外郭）、２２…反射板（反射体）、２３…カバー（器具外郭）、２４…光源、２６…点灯装置、２６ａ…半導体スイッチ、２７…蓄電池、４１…器具外郭、４１ａ…カバー、４１ｂ…シャーシ、４２…反射板（反射体）、４４…光源
【図１】
2004253302.tif 000003
【図２】
2004253302.tif 000004
【図３】
2004253302.tif 000005
【図４】
2004253302.tif 000006
【図５】
2004253302.tif 000007
【図６】
2004253302.tif 000008
【図７】
2004253302.tif 000009